(57)【特許請求の範囲】
【請求項１】
柔軟材よりなる傘状部(1)の軸心位置に形成された袋部(2)と、前記袋部(2)に形成され柔軟材よりなる弾性保持体(3)と、前記弾性保持体(3)に接続されたねじ体(5)と、前記ねじ体(5)に直列接続された第１筒状体(9)と、前記第１筒状体(9)の外周位置に同軸配設された第２筒状体(11)とを備え、前記傘状部(1)は傘形から変形した状態で前記第２筒状体(11)内に収容されていることを特徴とする穿刺装置。
【請求項２】
前記袋部(2)には、接着剤(7)が収容されていることを特徴とする請求項１記載の穿刺装置。
【請求項３】
前記弾性保持体(3)の外周には筒部(4)が嵌合されていることを特徴とする請求項１又は２記載の穿刺装置。
【請求項４】
前記傘状部(1)はシリコンゴムからなることを特徴とする請求項１ないし３の何れかに記載の穿刺装置。
【請求項５】
前記弾性保持体(3)に挿入された針体(30)を有し、前記針体(30)は、筒状針部(31)及びこの筒状針部(31)内に同軸状に挿入された捧状針部(32)とからなることを特徴とする請求項１ないし４の何れかに記載の穿刺装置。
【発明の詳細な説明】
【０００１】
【産業上の利用分野】
本発明は、穿刺装置に関し、特に、人体又は動物等の臓器内の液体等を外部に漏出させることなく、臓器内のサンプル吸引及び内部状態検査を行うための新規な改良に関する。
【０００２】
【従来の技術】
従来、用いられていたこの種の穿刺としては、一般に、注射針を臓器等の被穿刺部内に穿刺させ、内部の液体等を吸引して、この液体等の病理検査を行っていた。
【０００３】
【発明を解決しようとする課題】
従来の穿刺は、以上のように構成されているため、次のような課題が存在していた。
すなわち、被穿刺部内に注射針を穿刺して液体等を吸引した後に、この注射針を引抜くと、この被穿刺部に注射針を穿刺した時の孔が残るため、この孔から液体等が体内に漏出し、悪性液体の場合には他の臓器に転移することがあった。
【０００４】
本発明は、以上のような課題を解決するためになされたもので、特に、人体又は動物等の臓器内の液体等を外部に漏出させることなく、臓器内のサンプル吸引及び内部状態の検査を行うようにした穿刺装置を提供することを目的とする。
【０００５】
【課題を解決するための手段】
本発明による穿刺装置は、柔軟材よりなる傘状部の軸心位置に形成された袋部と、前記袋部に形成され柔軟材よりなる弾性保持体と、前記弾性保持体に接続されたねじ体と、前記ねじ体に直列接続された第１筒状体と、前記第１筒状体の外周位置に同軸配設された第２筒状体とを備え、前記傘状部は傘形から変形した状態で前記第２筒状体内に収容されている構成であり、また、前記袋部には、接着剤が収容されている構成であり、また、前記弾性保持体の外周には筒部が嵌合されている構成であり、また、前記傘状部はシリコンゴムからなる構成であり、また、前記弾性保持体に挿入された針体を有し、前記針体は、筒状針部及びこの筒状針部内に同軸状に挿入された捧状針部とからなる構成である。
【０００６】
【作用】
本発明による穿刺装置においては、人体又は動物の壁体に形成した孔を介して穿刺装置を挿入し、第１筒状体のみを押込むと、傘状部及び袋部が第２筒状体から飛び出し、傘状部は縮小した状態から元の傘状に広がる。この状態で、別方向から挿入した乾燥手段で被穿刺部上を乾燥させた後、切断手段により切開又は穿孔することにより袋部内の接着剤がこの被穿刺部上に厚さ約０.１〜０．２ｍｍで膜状に供給される。
前述の状態で、装置全体を内方へ押入すると、この傘状部が被穿刺部に蜜合し接着剤の作用によって両者が一体となる。
次に、第１筒状体内に針体を挿入すると、この針体は弾性保持体を穿孔して被穿刺部を貫通する。この状態で、捧状針部のみを筒状針部から抜き取り、この筒状針部の頭部に吸引体を挿入して吸引すると、被穿刺部内の液体等を吸引して取出すことができる。この吸引作業完了後、直ちに弾性保持体を切断すると、傘状部と弾性保持体の一部とが共に被穿刺部上に残ると共に、この弾性保持体は収縮して元通りに復元するため、針体を穿刺した時の孔は消滅し、被穿刺部に形成された孔もこの弾性保持体によって完全に閉塞され、内部の液体等の外部への漏出を防止することができる。従って、悪性腫瘍の場合の漏出による他の臓器への転移を防止することができる。
また、前述の吸引体の代わりに、カメラ又はサンプル取出体を挿入した場合には、被穿刺部内の観察及び生体サンプルの取出しを行うことができる。
【０００７】
【実施例】
以下、図面と共に本発明による穿刺装置の好適な実施の形態について詳細に説明する。
図１は穿刺装置の主要部を示すもので、図１において符号１で示されるものはシリコンゴム等からなり傘状をなす傘状部であり、この傘状部１の軸心位置には袋状の袋部２が一体に形成され、この袋部２にはその下方に向けてほぼ筒状をなす弾性保持体３が一体状に形成されている。なお、この袋部２、傘状部１及び弾性保持体３は一体成形又は別部品による一体接合の何れかにより構成されている。
【０００８】
前記弾性保持体３の外周には、耐蝕性のあるアルミニウム等からなる筒体４が嵌合されており、この筒体４によりこの弾性保持体３が外周側から圧力が加えられ、後述の針体等による穿刺の後に形成される孔３ａを収縮によって潰し元の通りに復元できるように構成されている。前記弾性保持体の下端には、耐蝕性のあるアルミニウム等よりなり筒状をなすねじ体５が設けられている。なお、前記袋部２内には使用直前に注入器６によって外科用アロンアルファー等からなる接着剤７が注入される。
【０００９】
前記ねじ体５には、耐蝕性のあるアルミニウム等からなりこのねじ体５よりも外径がやや大であると共に、第１取手８を有する第１筒状体９が直列状に螺合して接続されている。
この弾性保持体５と接続された第１筒状体９は、図５で示すように、図３で示す第２取手１０を有すると共に全体が耐蝕性のあるアルミニウム等からなる第２筒状体１１内に同軸状に挿入されている。従って、図５の状態で本発明による穿刺装置２０は完成されたことになり、この状態では、前記傘状部１が縮小して元の形よりも小形に変形して第２筒状体１１内に収容された状態となる。なお、前記傘状部１と袋部２は、図４で示すように、一体にシリコンゴム等からなり、弾性保持体３は収縮性に秀れたゴム、樹脂等からなり、互いに接着されている。また、前記各筒状体９、１１は、アルミニウムの他、樹脂成形も可である。
【００１０】
次に、図６から図８で示す構成は、前述の図５で示す穿刺装置２０に用いる針体３０を示すもので、図６は筒状針部３１、図７はこの筒状針部３１内に挿入するための捧状針部３２を示している。前記筒状針部３１の後端にはテーパ状の挿入部３３が形成され、この挿入部３３を介して捧状針部３２がこの筒状針部３１内に挿入されることにより、この筒状針部３１内の案内孔３０ａが閉塞される。また、この捧状針部３２の後端に形成された膨大部３２ａの径Ｄ1は前記挿入部３３の口径よりも十分に大に形成され、この膨大部３２ａによって挿入部３３を閉塞することができるように構成されている。
【００１１】
次に、前述の構成において、実際に人体又は動物の臓器に対する穿刺を行う場合について述べる。なお、本実施例においては、人体の卵巣腫瘍を被穿刺部とした場合について説明する。
まず、図１１から図１３で示すように壁体４０に腹腔鏡４１を挿入してガスを供給しつつ膨張させ、筒状の第１トロッカー４２を植立させる。この第１トロッカー４２を介して本発明による穿刺装置２０を図１２及び図１３にて示すように壁体４０内に挿入し、図１４に示すように内側の第１筒状体９のみを押込むと、傘状部１が第２筒状体１１内から外部に出るため、この傘状部１は縮小状態から元の傘状に開放される。
【００１２】
前述の状態で、図１５に示すように、別方向から壁体４０に挿入した第２トロッカー４３を介して乾燥空気又はガスを供給するための乾燥手段４４を用いて例えば卵巣腫瘍（他の臓器も可）からなる被穿刺部４５の表面を乾燥させ、前記第２トロッカー４３から乾燥手段４４を引抜き、代わりにシザースからなる切断手段４６を壁体４０内に挿入して図１６及び図１７に示すように袋部２を切開又は穿孔等によって破壊すると、接着剤７がこの被穿刺部４５上に供給される。なお、この接着剤７は前もって、手術直前に袋部２内に注入しておく。
【００１３】
次に、穿刺装置２０を、図１８及び図１９に示すように壁体４０内に押入すると、傘状部１がこの接着剤７を介して被穿刺部４５の表面４５ａに固着する。この状態で、図２０及び図２１に示すように、穿刺装置２０内に針体３０を挿入すると、図２２及び図２３で示すように、この針体３０が弾性保持体３を貫通して針体３０の先端が被穿刺部４５内に挿入される。
【００１４】
前述の状態で、捧状針部３２のみを筒状針部３１から引抜き、この筒状針部３１の挿入部３３に、図２４及び図２５で示すように、吸引体５０を挿入して吸引を行うと、被穿刺部４５内の液体等は吸引体５０内に吸引されて、サンプル採取が完了する。
【００１５】
前述の吸引完了後、筒状針部３１も引抜き、次に図２６から図２８で示すように、再び前述のシザースからなる切断手段４６を壁体４０に挿入し、被穿刺部４５に固着状態となった弾性保持体３の凹溝部３ｃを切断することにより、弾性保持体３の一部と傘状部１のみが被穿刺部４５に固着した状態となり、この場合には、被穿刺部４５の形状も初めよりは縮小している。なお、この場合、針体３０を引抜いた後に残る孔３ａはその弾性の収縮作用により閉塞されるため、被穿刺部４５内の液体等の外部（すなわち、腹内）への漏出は防止できる。
【００１６】
次に、前述の被穿刺部４５の液体等の良悪性診断が判明し、術式が決定された後、良性の場合には、図２９及び図３０で示されるように、被穿刺部４５を切除し、この被穿刺部４５と共に残留した傘状部１等を体外に除去する。なお、前述の液体等が悪性の場合には、この被穿刺部４５を図示しない袋で包んだ後に切除し、液体等が腹内に飛散することを防止する。従って、悪性腫瘍の場合における液体の漏出による他の臓器への転移を防止することができる。
【００１７】
また、他の実施例として、前記吸引体５０の代わりに、図３１で示すように、カメラ６０を被穿刺部４５内に挿入し、モニターテレビ６１で内部診断を行うこともできる。
【００１８】
また、図３２で示すように、前記カメラ６０の代わりに周知のサンプル取出体７０を挿入し、リモートコントローラ７１でこのサンプル取出体７０を操作することにより、被穿刺部４５内の生体サンプルを外部に取出すこともできる。
なお、前述の実施例においては、人体の手術の場合について述べたが、人体に限ることなく、動物についても同様に適用できることは述べるまでもないことである。
【００１９】
【発明の効果】
本発明による穿刺装置は、以上のように構成されているため、次のような効果を得ることができる。
すなわち、被穿刺部に対して弾性保持体を有する傘状部を、接着剤を介して接着し、この弾性保持体を介して針体を挿入するため、針体引抜き後は弾性保持体の孔が収縮して閉塞し、被穿刺部内の液体等の外部漏出を防止することができる。
また、この針体を介してカメラの挿入、サンプル取出体の挿入もでき、医療分野における幅広い応用を達成することができる。
【図面の簡単な説明】
【図１】本発明による穿刺装置の要部を示す断面図である。
【図２】図１に第１筒状体を設ける構成図である。
【図３】第２筒状体を示す構成図である。
【図４】図１の要部の断面図である。
【図５】穿刺装置の断面図である。
【図６】針体の筒状針部を示す断面図である。
【図７】捧状針部を示す断面図である。
【図８】針体を示す断面図である。
【図９】穿刺を示す構成図である。
【図１０】穿刺を示す構成図である。
【図１１】穿刺を示す構成図である。
【図１２】穿刺前状態を示す縦断面図である。
【図１３】図１２の横断面図である。
【図１４】穿刺前状態を示す縦断面図である。
【図１５】図１４の横断面図である。
【図１６】袋部の切断を示す縦断面図である。
【図１７】図１６の横断面図である。
【図１８】傘状部が被穿刺部に接着した状態を示す縦断面図である。
【図１９】図１８の横断面図である。
【図２０】穿刺直前状態を示す縦断面図である。
【図２１】図２０の横断面図である。
【図２２】穿刺状態を示す縦断面図である。
【図２３】図２２の横断面図である。
【図２４】吸引状態を示す縦断面図である。
【図２５】図２４の横断面図である。
【図２６】吸引後、針体を除去した状態を示す縦断面図である。
【図２７】弾性保持体を切断する前を示す断面図である。
【図２８】図２７の切断状態を示す横断面図である。
【図２９】穿刺装置除去後を示す縦断面図である。
【図３０】図２９の横断面図である。
【図３１】カメラを用いる例を示す横断面図である。
【図３２】サンプル取出体を用いる例を示す横断面図である。
【符号の説明】
１    傘状部
２    袋部
３    弾性保持体
４    筒部
７    接着剤
９    第１筒状体
１１    第２筒状体
３０    針体
３１    筒状針部
３２    捧状針部
４０    壁体
４５    被穿刺部
６０    カメラ
７０    サンプル取出体
【図１】
0003563767.tif 000002
【図２】
0003563767.tif 000003
【図３】
0003563767.tif 000004
【図４】
0003563767.tif 000005
【図５】
0003563767.tif 000006
【図６】
0003563767.tif 000007
【図７】
0003563767.tif 000008
【図８】
0003563767.tif 000009
【図９】
0003563767.tif 000010
【図１０】
0003563767.tif 000011
【図１１】
0003563767.tif 000012
【図１２】
0003563767.tif 000013
【図１３】
0003563767.tif 000014
【図１４】
0003563767.tif 000015
【図１５】
0003563767.tif 000016
【図１６】
0003563767.tif 000017
【図１７】
0003563767.tif 000018
【図１８】
0003563767.tif 000019
【図１９】
0003563767.tif 000020
【図２０】
0003563767.tif 000021
【図２１】
0003563767.tif 000022
【図２２】
0003563767.tif 000023
【図２３】
0003563767.tif 000024
【図２４】
0003563767.tif 000025
【図２５】
0003563767.tif 000026
【図２６】
0003563767.tif 000027
【図２７】
0003563767.tif 000028
【図２８】
0003563767.tif 000029
【図２９】
0003563767.tif 000030
【図３０】
0003563767.tif 000031
【図３１】
0003563767.tif 000032
【図３２】
0003563767.tif 000033